(57)【要約】  略平行六面体形状の内ラッパーを有する、喫煙物品のためのパケットにおいて、内ラッパーの上面は、前後で折り畳まれかつ同じ内ラッパーの前壁の近傍と後壁の近傍に夫々位置する２つの台形フラップを有し、後方フラップは前方フラップに重なり、前方フラップは、前方フラップを手で引くことにより容易に引き裂ける弱め線を通して内ラッパーを構成する包装材シートの残りの部分に接続され、粘着ラベルは、使用時において粘着ラベルが内ラッパーの上面から離反移動した際にはいつでも後方フラップが内ラッパーの内側に収容された喫煙物品から離れるように、後方フラップに接続された領域を有する。【選択図】図７
2015524370.tif 000002
【特許請求の範囲】
【請求項１】
喫煙物品のためのパケットであって、パケット（１）の長手方向軸線（Ａ）に平行に並んだ喫煙物品（７）の一群（６）の周りに折り畳まれる包装材シート（８）からなる略平行六面体形状の内ラッパー（２）を有し、前記パケット（１）は前壁（２５）、後壁（２６）、２つの側壁（２７、２８）、上壁（１０）及び下壁（４６）によって形成され、更にパケットは、前記内ラッパー（２）を収容しかつ同一の内ラッパー（２）の周りにブランク（２０）を折り曲げることで作られる外箱（３）を有し、前記内ラッパー（２）には、内ラッパー（２）の上面（５）を貫きかつ内ラッパー（２）の前壁（１２）の上部分を貫いて作られる喫煙物品取り出し口（１４”）が設けられ、前記上面（５）と前記前壁（１２）の上部分は、少なくとも前記喫煙物品取り出し口（１４”）を伴う領域において、プルタブ（４２）を備えかつ前記外箱（３）の後壁（２６）の上部分に接続された境界部分（３８）を有する粘着ラベル（３）によって覆われ、前記外箱（３）の前壁（２５）の上部分は、パケット（１）閉じ時においてその境界域が前記粘着ラベル（３９）の対応域によって覆われる凹部（２５’）を有するような、喫煙物品のためのパケットにおいて、
前記内ラッパー（２）の前記上面（５）は、前後で折り畳まれかつ同じ内ラッパー（２）の前壁（１２）の近傍と後壁（１２’）の近傍に夫々位置する２つの台形フラップ（５ｃ、５ｄ）を有し、
後方フラップ（５ｄ）は前方フラップ（５ｃ）に重なり、前方フラップ（５ｃ）は、前方フラップ（５ｃ）を手で引くことにより容易に引き裂ける弱め線（１４）を通して内ラッパー（２）を構成する包装材シート（８）の残りの部分に接続され、
前記粘着ラベル（３９）は、使用時において粘着ラベル（３９）が内ラッパー（２）の上面（５）から離反移動した際にはいつでも後方フラップ（５ｄ）が内ラッパー（２）の内側に収容された喫煙物品（７）から離れるように、後方フラップ（５ｄ）に接続された領域（４３）を有することを特徴とする喫煙物品のためのパケット。
【請求項２】
前記喫煙物品取り出し口（１４”）は前記内ラッパー（２）に作られた弱め線（１４）によって形成されると共に、前記パケット（１）の長手方向軸線（Ａ）を横断して前記前壁（１２）の中央域に位置する第１延伸部（１９）と、前記各側壁（１１）の端縁部から所定距離をおいた前記第１延伸部（１９）の端部から、前記前壁（１２）に沿って内ラッパー（２）の上面（５）に向かって延びる２つの更なる延伸部（１８）と、夫々の前記更なる延伸部（１８）の自由端に接続され、前記内ラッパー（２）の上面（５）に沿ってパケット（１）の後壁（２６）に向かって延びている２つの連続延伸部（１７）と、内ラッパー（２）の上面（５）に沿って第１延伸部（１９）に平行に互いに向かい合うように延びている各連続延伸部（１７）の自由端に接続される２つの延伸部（１６）とを有し、内ラッパー（２）の上面（５）上にある前記喫煙物品取り出し口（１４”）部分の幅は、第１の弱め線（１９）の幅よりも大きいことを特徴とする請求項１に記載の喫煙物品のためのパケット。
【請求項３】
前記外箱（３）の後壁（２６）の上部分に接続された前記粘着ラベル（３９）の境界部分（３８）は３ｍｍ〜２０ｍｍの間の高さを有することを特徴とする請求項１又は２に記載の喫煙物品のためのパケット。
【請求項４】
前記外箱（３）の後援（２６）の上部分に接続された前記粘着ラベル（３９）の境界部分（３８）の高さは実質的に１０ｍｍに等しいことを特徴とする請求項１又は２に記載の喫煙物品のためのパケット。
【請求項５】
前記粘着ラベル（３９）の境界部分（３８）と、前記後壁（２６）の真下にある部分とを有する領域において、前記外箱（３）大後壁（２６）に接着される納税印紙又はラベル（３９’）を有することを特徴とする請求項１〜４のいずれか一項に記載の喫煙物品のためのパケット。
【請求項６】
前記内ラッパー（２）上にあって前記喫煙物品取り出し口（１４”）を形成する弱め線（１４）の位置と寸法は、弱め線（１４）それ自体が所定長さの延伸部の分だけ同じ凹部（２５）よりも離れているため、除去可能部分（１４’）を引き裂いた後、内ラッパー（２）を構成する如何なるシート（８）部分も外箱（３）の前壁（２５）にある凹部（２５’）を介して見えないことを保証するようになっていることを特徴とする請求項１〜５のいずれか一項に記載の喫煙物品のためのパケット。
【請求項７】
前記弱め線（１４）は、１ｍｍ〜５ｍｍの長さの延伸部の分だけ、前記凹部（２５’）よりも離れていることを特徴とする請求項６に記載の喫煙物品のためのパケット。
【請求項８】
前記凹部（２５’）に隣接して前記前壁（２５）上にロゴ（５３）を印刷及び／又はエンボス加工するための十分な空間を一方の側に残すため、外箱（３）の前壁（２５）にある前記凹部（２５’）は、外箱（３）自体の前記前壁（２５）に対して横方向にオフセットされることを特徴とする請求項１〜７のいずれか一項に記載の喫煙物品のためのパケット。
【請求項９】
前記外箱（３）は、複数の矩形パネル（２５、２６、２７、２８）を有するブランク（４７）を折り曲げることにより作られ、前記ブランク（４７）の上端縁部（２２）からは、隣接する組の形で相互に接続される複数の舌部（４８、５０、４９）が延び、前記舌部はそれら全体で、前記内ラッパー（２）の前記上面（５）を少なくとも部分的に覆うように設計された外延カバー（５２）を構成し、前記粘着ラベル（３９）の一部分（４０）は喫煙物品（７）の一群（６）に対面する面とは反対側に位置するカバー（５２）の表面の一部に接着され、喫煙物品（７）の一群（６）に対面するカバー（５２）の表面の一部は内ラッパー（２）の上面（５）の後方台形フラップ（５ｄ）に接着されることを特徴とする請求項１〜７のいずれか一項に記載の喫煙物品のためのパケット。
【請求項１０】
前記外箱（３）は、２つの大パネル（２５、２６）と、前記２つの大パネル（２５、２６）の間に位置する小さな中間パネル（２７）と、前記大パネル（２５、２６）に夫々隣接する２つの小さなエンドパネル（２８、２９）とを有する略矩形ブランク（２０）を折り曲げることによって作られ、前記ブランク（２０）の上端縁部（２２）からは前記ブランク（２０）の２つの小パネル（２７、２８）において外側に２つの舌部（３５、３６）が延び、前記舌部は前記内ラッパー（２）の前記上面（５）を少なくとも部分的に覆うように設計されることを特徴とする請求項１〜７のいずれか一項に記載の喫煙物品のためのパケット。
【発明の詳細な説明】
【技術分野】
【０００１】
本発明は、例えば紙巻きタバコのような細長い喫煙物品のためのパケットに関する。
【背景技術】
【０００２】
従来からの軟質タバコパケットは、通常、略矩形のシートから得られ、それらシートは、通常、フォイル紙から作られると共にタバコの一群の周りに巻き付けられて内ラッパーを構成する第１のシートと、通常、紙材から作られると共に前記内ラッパーの周りに巻き付けられ、頂壁又は上壁を除く内ラッパーの全ての壁を覆うような外ラッパーを構成する第２のシートとからなる。
【０００３】
パケットを初めに開けてタバコを取り出す際には、喫煙者は内ラッパーの上方部分の一部を引き裂く必要があり、また外ラッパーによって覆われないようにしなければならない。
【０００４】
一旦引きちぎられるとパケットはもはや効果的に再閉じできない場合があり、喫煙者がそれを使わずに、例えばポケットやハンドバッグに収めた場合には、図らずもタバコがパケットからこぼれ出てしまう恐れがある。更に、パケットの上端面の中央部は、開口部の大きさに制限を与える納税印紙やラベルで覆われているために、引き裂かれた後に開いたままの状態にある内ラッパー部分の大きさは相対的に小さく、パケットの内側にあるタバコへのアクセスは決して容易ではない。更に、一旦開けてしまえばパケットはその内部にあるタバコ全体を外気に晒すことにもなり、紙巻きタバコを急速に乾燥させ、それ自体の感覚刺激特性を劣化させることにもなる。
【先行技術文献】
【特許文献】
【０００５】
（原文に記載なし）
【発明の概要】
【発明が解決しようとする課題】
【０００６】
本発明は、上述した従来のパケットに付きものの欠点を無くした、細長い喫煙物品であって特にタバコのためのパケットを提供することを目的とする。
【課題を解決するための手段】
【０００７】
この目的のため、本発明は添付した特許請求の範囲に記載された細長喫煙物品のためのパケットを提供する。
【０００８】
本発明を、その非限定的な実施形態を示す添付図面を参照しながら、以下に説明する。
【図面の簡単な説明】
【０００９】
【図１】喫煙物品の一群を包装するように設計されて、内ラッパーを形成する包装材シートの第１実施形態を示す図である。
【図２】図１の内ラッパーの周りに巻き付けられるように設計されて外箱を成す、更なる包装材シートを示す図である。
【図３】図２の外ラッパーを閉じるための部分粘着ラベルを示す図である。
【図４】閉鎖状態における本発明のパケットの前方斜視図である。
【図５】閉鎖状態における本発明のパケットの後方斜視図である。
【図６】開放状態におけるパケットの２つの異なる形態の中の１つにおける本発明のパケットの斜視図である。
【図７】開放状態におけるパケットの２つの異なる形態の中の１つにおける本発明のパケットの斜視図である。
【図８】図２の包装材シートの変形例を示す図である。
【図９】開放状態におけるパケットの２つの異なる形態の中の１つにおいて、図８のシートを組み込んだパケットの斜視図である。
【図１０】開放状態におけるパケットの２つの異なる形態の中の１つにおいて、図８のシートを組み込んだパケットの斜視図である。
【図１１】上記図のパケットの更なる変形例を示した図である。
【発明を実施するための形態】
【００１０】
図４〜図７と図９〜図１１は、それ全体で喫煙物品のためのパケットを示し、矩形のベースを伴った平行六面体の形の軟らかい内ラッパー２と、対応する内ラッパー２の上壁又は上面５へのアクセスを可能にする開口上端４を伴った中空の外箱又は外ラッパー３とを有する。
【００１１】
本記載においてはこれ以降、紙巻きタバコからなる喫煙品を引用するが、これによって本発明の範囲を限定するものではない。
【００１２】
内ラッパー２は、パケット１の主な伸びの長手方向軸線Ａに平行に配置されたタバコ７の一群６の周りで、例えば紙や金属化紙や層状プラスチック材の内側包装材シート８を折り曲げて作られる。
【００１３】
シート８の説明では、シート８の各部分を指し示すため、例えば“上方”、下方”、“上部”、“下部”などの用語を使って図１に示された形でシート８をたびたび引用することになるが、これらの用語は、図１の表示において特定され得るものである。
【００１４】
図１に示すように、内側包装材シート８は矩形の形状を有し、同シートは、必要に応じて予め弱められ、かつ群６を成すタバコ７の軸線に平行であって即ち軸線Ａに平行に延びる４本の折り線９に沿ってタバコ７の一群６の周りに巻き付けられることになる。折り線９は、隣接する線９同士が組となって、内ラッパー２の２つの小側壁１１を形成し、その小側壁間に、同じ内ラッパー２の大きな前壁１２が横たわる。内側包装材シート８の側方端縁部同士は重ね合わされ、内ラッパー２の大きな後壁１２’の中央領域で互いに接着される。
【００１５】
それぞれ上下部として、また番号５、１３によって識別することができる内ラッパー２の端面にも弱め線１５が設けられるが、それらは予め弱められたものであるかもしれないし、或いは上端面５と下端面１３を形成するシート８各部分を折り畳むことで得られたものであるかもしれない。
【００１６】
図１に示すように、端面５、１３の２つの側方端部域の夫々において、弱め線１５は二等辺台形の形を再現する配置形態を構成する。二等辺台形の形を再現する弱め線１５のこれらの部分夫々の大底部は、シート８の一端縁部（上端面５の弱め線１５の場合は上方端縁部であり、下端面１３の弱め線１５の場合は下方端縁部）に位置し、片や二等辺台形の小底部は折り線９に垂直な各弱め線５’と１３’に沿って延び、それらは内ラッパー２が組立てられた際には、同一の端面５、１３の境界を画定する。
【００１７】
壁１１、１２の上にある部分に沿って延び、上端面５の一部を形成するシート８の領域、及び前壁１２自体の上方部分には、略“Ｔ”の形をした弱め線１４が設けられ、この線がシート８自体の除去可能部分１４’の境界を画定する。その弱め線１４は連続する複数のスリットによって形成されており、シート７の除去可能部分１４’はそのスリットに沿って引きちぎられて除去可能となる。
【００１８】
弱め線１４は、壁１１の上部に位置するシート８部分に夫々含まれるシート８の２つの上方端縁域から始まり、互いに等しくかつ平行であると共に折り線９に対しても平行で図１で見て下方に延びる２つの延伸部１６を有する。延伸部１６の下端から延びるのは互いに等しく向かい合うようにして延びる２つの水平延伸部１７であり、前壁１２の上部にある部分へと少し入り込み、上端面５の部分を形成する。延伸部１７の端部から、延伸部１６との接続からは逆方向に延びるのが更なる２つの延伸部１８であり、それらは図１で下方に延び、互いに略平行な状態で前壁１２内へと少し入り込む。延伸部１７との接続部とは逆にある延伸部１８の端部は、折り線９に対し垂直となる水平延伸部１９によって互いに連結される。
【００１９】
内ラッパー２が作られている間、上述したように４本の折り線９に沿ってタバコ７の一群６の周りで内側包装材シート８を折り畳むと、一群６自体の両側に、一方は内ラッパー２の上端面５を成し、他方は下端面１３を成すことになる２つの環状端部分（図示せず）を持ったチューブ状のラッパー（図示せず）を形成することになる。
【００２０】
上端面５は、最初に各環状部分（図示せず）の２つの小さな側方部分５ａ、５ｂを一群６の上に折り畳み、その環状部分自身に、同じ内ラッパー２の前壁１２と後壁１２’の近傍に夫々前後に位置する２つの台形フラップ５ｃ、５ｄを形成し、次いで後方のフラップ５ｄが前方フラップ５ｃに重なるように一群６上に台形フラップ５ｃ、５ｄを折り畳むことによって作られる（図６）。下端面１３は、今説明した上端面５と全く同様な方法でかつ同時に作られる。
【００２１】
特に、図２に示したように、外箱３は、内ラッパー２の周りで、外側包装材のブランクシート２０（ラッカー面が見える状態で図２に平面図の形で示す）を折り畳むことによって作られる。シート２０それ自体の上には、一群６を成すタバコ７の軸線、即ち軸線Ａに平行に延びた、好ましくは予め弱められた複数の折り線２１が設けられる。シート２０はシート８よりも厚さがあることが好ましい。何故なら、シート２０は厚紙やプラスチック材料や金属材料で形成されることが好ましいからである。シート２０の説明では、シート２０の各部分を指し示すため、例えば“上方”、下方”、“上部”、“下部”などの用語を使って図２に示された形でシート２０をたびたび引用することになるが、これらの用語は、図２の表示において特定され得るものである。
【００２２】
シート２０は略矩形状であり、折り線２１は、外箱３（図６に示す）の開口端２３の環状端縁部を成すシート２０自体の上方横断端縁部２２と、この上方端縁部２２に平行であって同じシート２０の下部近くに位置する横断折り線２４との間を延びる。上方横断端縁部２２と横断折り線２４とは軸線Ａに対して垂直である。対になって、各折り線２１は、矩形の形をした２つの大きなパネル２５、２６（左と右）と、大パネル２５、２６間に位置し、矩形の形をした小さな中央パネル２７と、夫々小中央パネル２７の反対側にあって大パネル２５、２６に隣接する２つの小さなエンドパネル２８、２９とを形成する。
【００２３】
その片側において、折り線２４は各パネル２８、２５、２７、２６、２９に夫々並んでシート２０の下部分を構成する５つの舌部３０、３１、３２、３３、３４の境界を夫々画定する。舌部３０、３１、３２、３３、３４は、その大底部を折り線２４に位置させた略２等辺台形の形をしており、各パネル２８、２５、２７、２６、２９に接続された各舌部の側部の長さは、それらに隣接する各パネル２８、２５、２７、２６、２９に等しい。
【００２４】
パネル２８、２７においてエッジ２２から外側に延びているのが略矩形の形をした舌部３５、３６であり、その幅寸法はパネル２８、２７それら自身の幅寸法に等しい。尚、舌部３５、３６は無くとも良い。
【００２５】
存在する場合の舌部３５、３６は互いに向けて折り畳まれ（図面の分かりやすさを減らさないようにここでは図示しない）、パケット１の上側にある側方内側領域を側方から区切り、タバコ粒子の落下を防止する。
【００２６】
パネル２５の上方中央部分は、上方横断端縁部２２に沿って舌部３５、３６間の中央に凹部２５’を有しており、その凹部は図２で下方に向けられ、実質的には、角部が丸まった矩形のような形をしている。
【００２７】
外箱３は、２つのパネル２５、２６をパネル２７に対して直角に折り曲げ、更にパネル２８、２９をパネル２５、２６に対して直角に折り曲げ、パネル２８をパネル２９の外面に接触させて接着することにより得られる。
【００２８】
次に、舌部３２、３４は、パネル２７、２９に対して直角かつ互いに向きあうように折り曲げられ、更に舌部３０はパネル２８に対して直角に折り曲げられ、舌３４の外面と接触した状態で接着される。
【００２９】
外箱３は、パネル２６に対して舌部３３を、パネル２５に対して舌部３１を直角に折り曲げ、舌部３０、３２と共に外箱３自体の下壁３７を形成するように舌部の外面に舌部３１を接着することによって完成する。
【００３０】
次いで、舌部３５、３６は端縁部２２の一部分と一致する夫々の折り線に沿って直角に折り曲げられ、それらは内ラッパー２の上端面５の各側方端部分に接着される。
【００３１】
シート２０のパネル２５、２６、２７、２８は、同じ参照番号が付けられ、外箱３の前壁２５、後壁２６、２つの側壁２７、２８を形成する。
【００３２】
このようにしてパケット１は、同じ参照番号を付けた形で、前壁２５、後壁２６、２つの側壁２７、２８、上壁１０及び下壁４６によって形成される。上壁１０と下壁４６は、内ラッパー２の上端面５と下端１３と同一平面内に位置する。
【００３３】
図４及び図５は、閉じた状態におけるパケット１の前方斜視図及び後方斜視図であり、図６及び図７は、開いた状態におけるパケット１の、２つの異なる形態を示した斜視図である。パケット１は図３に詳細に示したラベル３９によって、閉じた状態に保たれる。
【００３４】
図４〜図７に示すように、外箱３の大パネル２６の上部外方端縁域は、好ましくは接着剤によって、粘着ラベル３９の矩形境界部分３８に接続されている。ラベル３９は略矩形に形成されると共に矩形の境界部分３８を有し、その境界部分の大側部は矩形の中央部分４０に接続され、さらにその中央部分の他方の大側部が別の矩形部分４１の大側部に接続される。矩形部分４１の他の大側部は略２等辺三角形の形状部分４２の基部に接続され、その基部自体の長さはその高さよりかなり大きく、例えば５：１の比率となる。その部分４２は粘着ラベル３９を引くための手動プルタブを構成する。粘着ラベル３９の部分３８に接着される大パネル２６の上部外方端縁域は３ｍｍ〜２０ｍｍの高さがあり、好ましくは１０ｍｍに実質的に等しい高さを持つ。タックスラベル又はスタンプ３９’（図５）は、ラベル３９の矩形境界部分３８の下部と、外箱３のパネル２６の下層部とを有する領域に接着される。
【００３５】
パケット１組み立ての際、粘着ラベル３９は、その矩形中央部分４０が内ラッパー２の上面５を覆い、その矩形部分４１と三角形部分４２が内ラッパー２の前壁１２の上方域と外箱３のパネル２５に対向して位置するように折り曲げられる（図４及び図５）。内ラッパー２の上面５の、弱め線１４によって形成される除去可能部分１４’を覆う矩形部分４０の領域４３は恒久的接着剤の膜で覆われる。より具体的には、領域４３は内ラッパー２の上面５の後方台形フラップ５ｄに接着される。
【００３６】
矩形部分４１の内、実質的に逆Ｕ字（図３）の形状を有しかつ２つの小側部と三角形部分４２が接続された大側部に沿って位置する領域４４は、取り換え可能な非乾燥接着剤の膜によって覆われる。具体的には、パケット１が閉鎖状態にある時、取り換え可能な非乾燥接着剤膜によって覆われるＵ字状領域４４は、凹部２５’の外周近傍において外箱３のパネル２５と接触状態にある。
【００３７】
図４〜図７に示すように、組み立てられたパケット１において、粘着ラベル３９は上述したように、矩形の中間部分４０を以て内ラッパー２の上面５を覆い、その各部分４１、４２は内ラッパー２の前壁１２の上方領域と外箱３のパネル２５に向かって配置される。
【００３８】
部分４０は、内ラッパー２の上面５の後方台形フラップ５ｄに恒久的に接着され、部分４１は凹部２５’の外周近傍においてパネル２５に取り換え可能に接着される。
【００３９】
図４では下方に延びる粘着ラベル３９の部分４２は、そこには接着剤がないために容易に喫煙者によって２本の指で摘み、ラベル３９を持ち上げてパケット１からタバコ７を取り出すために、その部分を用いてラベル３９を外箱３のパネル２５から引き離し、内ラッパー２の上面５から離反させることができる。上面５の後方台形フラップ５ｄはラベル３９の領域４３に接着されているので、この引き動作（図６）は同時に、後方台形フラップ５ｄ自体を上面５の残りの下層部分から離反するように上げさせ、以て幾本かのタバコ７の端部を部分的に露出させることになる。パケット１を初めて開放した際にこの持ち上げ動作をした場合、上面５のフラップ５ａ、５ｂ、５ｃの部分と内ラッパー２の前壁１２の上方部分とから成るシート８の下層除去可能部分１４’は、喫煙者による２本の指の間に挟んで内ラッパー２から除去することができ、これによりタバコ７の多くの端部を露出することができる。後方台形フラップ５ｄを持ち上げ、シート８の除去可能部分１４を取り除いた後は、内ラッパー２の上面５はタバコ７を取り出すための取り出し口１４’を伴った状態で取り残され、その取り出し口は前述したように内ラッパー２の上面５と内ラッパー２自体の前壁１２の上方部分を貫いた状態で作られる。
【００４０】
弱め線１４の位置や大きさは、除去可能部分１４が除去された後の状態では、シート８のどの部分も外箱３のパネル２５の凹部２５’を通して見えないことを確実にしていることに留意されたい。何故なら、弱め線１４自体は１ｍｍ〜５ｍｍの長さをもって引き伸ばされ、凹部２５’よりも若干遠くに位置するからである。
【００４１】
タバコ７が取り出された後は、ラベル３９は外箱３のパネル２５に向けて戻すことができ、ラベル部分４１は、その部分４１自身の上に置き換え可能な接着剤膜で覆われた領域４４があることにより、凹部２５’の外周の外側においてパネル２５に付着する。
【００４２】
留意すべきことは、弱め線１４の形と大きさ、又それによって形成される除去可能部分１４’の形と大きさにより、除去可能部分１４’を取り除いた際に露わになるタバコ７の一群６の上端部分は、その大きさにおいて、本発明のパケット１と同様な特徴を持った既知のタバコパケットのそれよりもかなり大きいということである。更に、露わになったタバコ７の一群６の上方端部分の形状、言い換えればタバコ７を取り出すための取り出し口１４”の形状も又、タバコの取り出しを一層容易にしている。何故なら、上面５にあるフラップ５ａ、５ｂ、５ｃに対応する除去可能部分１４’部分は比較的広く、内ラッパー２の前壁１２の上方部分に対応する除去可能部分１４’部分は凹部２７’よりも広いからである（図７）。
【００４３】
又、留意すべきことは、除去可能部分１４’が一旦除去されたならば、その深さがタバコ７の直径にほぼ等しい、タバコ７の一群６の２つの側方端部分だけが上面５の残留部分（除去可能部分１４’の一部を形成しない、上面５のフラップ５ａ、５ｂ、５ｃの更なる部分）によって覆われたままになるように、除去可能部分１４’の最大幅が好適に選択されるということである。これらの側方端部分は、必要に応じて、舌部３５、３６によって覆われるようにしても良い。
【００４４】
図８は、ラッカー塗装外側面を見える側に配置した、外箱３を作るためのブランクシート４７の平面図であって、複数の矩形パネル２５、２６、２７、２８、２９を有するシートを示したものである。
【００４５】
図８のシート４７は図２のシート２０に類似するものであるが、異なる点は舌部３５及び３６がないことと、パネル２７、２６、２９において端縁部２２はそこから外側に延びる舌部４８、５０、４９を夫々有し、舌部４８はパネル２７、２６を繋ぐ折り線２１と端縁部２２との交点を実質上の中心とする円の４分の１の形状を実質的に有し、舌部５０は略矩形の形状を有し、舌部４９も又、パネル２６、２９を繋ぐ折り線２１と端縁部２２との交点を実質上の中心とする円の４分の１の形状を実質的に有することである。舌部４８及び４９の凸性は、各パネル２７、２９に連結されたそれらの側部とは反対側にある。舌部４８、４９、５０は、夫々真っ直ぐな垂直辺において隣接する組の形で相互に接続され、端縁部２２に沿う同舌部４８、４９、５０の幅は、それらが接続するパネル２７、２６、２９の幅に等しい。
【００４６】
舌部４８、４９の夫々には、その中央域に舌部４８、４９自体を形成する円の４分の１の半径と一致する弱め線５１が設けられる。
【００４７】
図９及び図１０のパケット１は、シート４７を使用して作られた外箱に特徴があり、タバコ７の一群６を収容すると共に図４〜図７のパケット１を参照しながら説明したものと同じ内ラッパー２を有している。
【００４８】
シート４７を使用して作られる外箱３は、その上部と、その２側部の一方と、後部に、舌部４８、４９，５０によって形成される外延カバー５２を有する。
【００４９】
図９及び図１０に示すように、上述したタイプの粘着ラベル３９は、大パネル２６の上部外方端縁域に接着される部分３８と、タバコ７の一群６に対面するものの反対側にあるカバー５２の表面部分に接着される矩形部分４０の領域４３とを有する。
【００５０】
タバコ７の一群６に対面するカバー５２の面は、内ラッパー２と上面５にある後方台形フラップ５ｄに恒久的に接着される部分を有し、ラベル３９は、凹部２５’の外周近傍においてシート４７のパネル２５に交換可能に接着される部分４１を有する。
【００５１】
図９及び図１０に明確に示すように、パケット１が閉じられたり、充分開いた状態にない時、例えばラベル３９とカバー５２が図９に示すような位置にある状態では、舌部４８、４９は夫々の弱め線に対してある角度を以て折り曲げられており、パケット１の夫々の上部側方内側域を横方向から区切る“コンサーティーナ”を構成し、タバコ粒子の落下を防止する。タバコ粒子を封じ込めるこの作用は、パケット１の全開時（図１０）にも実行される。
【００５２】
図１１に示したパケット１の変形実施形態では、パネル２５に対して凹部２５’は横方向にオフセットされており、その横方向寸法は図２、図６、図９を参照して以上検討したものよりも小さく、凹部２５’に隣接してパネル２５自体に、印刷及び／又はエンボス加工されたパケット１のメーカーロゴ５３やその他のグラフィックス及び／又はエンボス加工物を付ける空間を残している。手で除去可能な内ラッパー２の部分は、除去可能部分１４’を引用して説明した寸法及び形状の特徴を有するものでも良く、或いは内ラッパー２の幅全体をカバーするくらいまでも（図１１に示す）他の形状・サイズを有するものでも良い。
【図１】
2015524370.tif 000003
【図２】
2015524370.tif 000004
【図３】
2015524370.tif 000005
【図４】
2015524370.tif 000006
【図５】
2015524370.tif 000007
【図６】
2015524370.tif 000008
【図７】
2015524370.tif 000009
【図８】
2015524370.tif 000010
【図９】
2015524370.tif 000011
【図１０】
2015524370.tif 000012
【図１１】
2015524370.tif 000013
【国際調査報告】
2015524370.tif 000014
2015524370.tif 000015